(57)【要約】  【課題】簡潔な操作性を有し、車載用としても十分採用でき、かつ、保存された多くの音楽データをユーザの希望に沿って有効に活用することができる再生装置を提供すること。  【解決手段】音楽データが保存された記憶手段１１０から読み出された音楽データを再生することのできる再生装置において、音楽データが記憶手段１１０に保存された保存日時情報に基づいて、ある期間内に保存された音楽データを特定し、ある期間内に保存された音楽データをグループに分けて、複数のグループを作成する手段と、これらグループを並べて再生順序情報を作成する再生順序情報作成手段１６０と、再生順序情報作成手段１６０により作成された再生順序情報に基づいて、記憶手段１１０に保存されている音楽データを再生する再生制御手段１７０とを装備する。  【選択図】図１
2006324005.tif 000002
【特許請求の範囲】
【請求項１】
記憶手段に保存された音楽データを再生する再生装置において、
前記音楽データが前記記憶手段に保存された保存日時情報に基づいて、ある期間内に保存された音楽データを特定し、
前記ある期間内に保存された音楽データをグループに分けて、複数のグループを作成するグループ作成手段を備えていることを特徴とする再生装置。
【請求項２】
前記グループ作成手段が、
前記音楽データが前記記憶手段に保存された保存日時情報に基づいて、前記ある期間内に保存された音楽データを特定し、
前記ある期間内に保存された音楽データを識別する識別情報を保存すると共に、
保存した識別情報に対応付けて、グループを区別するグループ情報を保存することによって、グループを作成するものであることを特徴とする請求項１記載の再生装置。
【請求項３】
前記グループ作成手段により作成されたグループを並べて、再生順序情報を作成する再生順序情報作成手段と、
該再生順序情報作成手段により作成された前記再生順序情報に基づいて、前記記憶手段に保存されている音楽データを再生する再生制御手段とを備えていることを特徴とする請求項１又は請求項２記載の再生装置。
【請求項４】
記憶手段に保存された音楽データを再生する再生装置に、
前記音楽データが前記記憶手段に保存された保存日時情報に基づいて、ある期間内に保存された音楽データを特定する機能と、
前記ある期間内に保存された音楽データをグループに分けて、複数のグループを作成する機能とを実現させることを特徴とする再生プログラム。
【発明の詳細な説明】
【技術分野】
【０００１】
本発明は再生装置及び再生プログラムに関し、より詳細には、再生する曲の順序を示した情報に基づいて、ハードディスクやＤＶＤなどの大容量の記憶装置に保存されている曲を再生するための再生装置及び再生プログラムに関する。
【背景技術】
【０００２】
ディジタル技術の進歩により、音楽データは、ＣＤやＭＤ、ＤＶＤなど、多種多様なメディアを通じて提供されるようになってきている。これらの音楽データを録音、再生するための装置も次々と開発され、それぞれのメディアの特性を十分に活かすために、多くの便利な機能が搭載されるようになってきている。
【０００３】
しかしながら、車載用再生装置では、多機能であっても安全運転が妨げられないよう、簡潔な操作が要求される。そのため、車載用でない通常の再生装置（以下、非車載用再生装置という）に比べて搭載される機能は大幅に縮小されるという傾向にあり、音楽データを有効に活用するという要求は満たされていない。
【０００４】
一般的な車載用再生装置に搭載されている代表的な機能として、一般にプログラム再生機能と呼ばれる機能がある。この機能は１枚または複数枚のＣＤやＭＤ、ＤＶＤなどに保存された音楽データに含まれる曲の中から、ユーザが予め設定した、聴きたい曲の順序を示す情報（以下、再生順序情報という）を基に、音楽データを再生する機能である。
【０００５】
しかし、再生順序情報を設定することは煩雑であり、長時間の操作を余儀なくされる。そのため、設定した再生順序情報の示す曲順に飽きてしまっても、再生順序情報を手軽に更新することができない、あるいは、その煩わしさからその機能がユーザに十分に利用されていないというのが実情である。
【０００６】
また、その他の代表的な機能として、ランダム再生機能と呼ばれる機能がある。この機能は、上記のような再生順序情報を用いずに、再生する曲の順序を装置側でランダムに選択する機能である。そのため、ユーザの希望が伝わらず、特に、ＣＤチェンジャ内にセットされた複数枚のＣＤなど、多くの音楽データの中からランダムな選曲がなされると、ユーザが全く聴きたいと思っていない曲が選択されてしまうことも多くなる。そのため選曲される範囲を指定する機能もあるが、このことは、上記のプログラム再生機能と同様に煩雑な操作を要し、選曲可能な曲が多くなればなるほど、この傾向は強くなる。
【０００７】
このような車載用再生装置の課題に注目して、例えば、下記の特許文献１には、曲ごとに再生回数を保存しておき、再生回数の最も多い曲を最初に再生する機能を搭載した車載用再生装置が開示されており、これによって車載用再生装置の機能を十分に活用しつつ、操作性を大幅に向上できるとされている。しかしながら、再生回数の最も多い曲を最初に再生するという機能は、普遍的な要求とは言い難く、上述した課題を解決するものではない。
【０００８】
一方、最近では、記録媒体の大容量化やディジタルデータ圧縮技術の進歩により、ハードディスクのような大容量の記録媒体に多くの音楽データを保存することが可能となってきており、パーソナルコンピュータ等と融合された非車載用再生装置が一般に利用されている。このような装置には、多くの音楽データを手軽に保存でき、再生時においても、ＣＤチェンジャにおけるＣＤの交換のように時間のかかる機械的動作を伴わないという優れた特徴がある。
【０００９】
ＣＤチェンジャ等を利用した従来の非車載用再生装置では、１００曲程度を管理すると十分であったが、上記のような大容量の非車載用再生装置では、数千から数万曲もの曲の中からユーザの求める曲を選曲できることが期待される。これには通常複雑な操作が必要となり、特に、上記のプログラム再生機能を利用する場合、さらに複雑な操作と時間が必要となる。そのため、再生順序情報の作成には、電子情報の管理での操作性に優れたパーソナルコンピュータ等が用いられることが多く、安全性を重視する車載用再生装置には不向きなものとなっている。
【００１０】
上記のような大容量の記録媒体を備えた車載用再生装置の例として、例えば、下記の特許文献２には、ＣＤプレーヤやＭＤプレーヤの他にハードディスクやメモリカードを搭載した車載用再生装置が開示されている。この文献には、複数の音楽用記録媒体の中から任意の曲を選択して再生できるとの効果が記載されているが、安全運転のためには同乗者による操作が前提となっており、具体的な操作方法は記載されておらず、上記課題を解決するものとはなっていない。
【００１１】
すなわち、大容量の記録媒体を備える車載用再生装置においては、安全性を優先して必要最小限度の機能だけを搭載したものとなるか、または安全性を犠牲にして複雑な操作を要する機能を搭載したものとなるかのいずれかであり、安全性が優先される車載用再生装置においては、結果として機能面で満足のいくものは実現されていない。
【００１２】
上述のように、従来の車載用再生装置においては、搭載された機能が少なく、多くの音楽データを有効に活用することができない、また、大容量の非車載用再生装置においては、操作が複雑であり車載用に適さないという課題があった。
【特許文献１】特開昭６０−５５５８１号公報
【特許文献２】特開２０００−２０７８４５号公報
【発明の開示】
【課題を解決するための手段及びその効果】
【００１３】
本発明は上記課題に鑑みなされたものであって、簡潔な操作性を有し、車載用としても十分採用でき、かつ、保存された多くの音楽データをユーザの希望に沿って有効に活用することができる再生装置及び該再生装置を実現するための再生プログラムを提供することを目的としている。
【００１４】
上記目的を達成するために本発明に係る再生装置（１）は、記憶手段に保存された音楽データを再生する再生装置において、前記音楽データが前記記憶手段に保存された保存日時情報に基づいて、ある期間内に保存された音楽データを特定し、前記ある期間内に保存された音楽データをグループに分けて、複数のグループを作成するグループ作成手段を備えていることを特徴としている。
【００１５】
上記再生装置（１）によれば、ある期間内に保存された音楽データ（例えば、１０代の頃、３年前、日曜日、冬の季節に保存された音楽データ）がグループに分けられることによって、複数のグループが作成される。従って、これらグループに属する音楽データを再生することによって、例えば、新しく保存された音楽データだけを再生したり、１０代の頃や３年前、日曜日、冬の季節に保存された音楽データだけを再生したりすることができる。
また、１つのグループは１つの音楽データのように扱うことができるので、例えば、グループを並べることによって、再生順序情報を簡単に作り出すことができる。
【００１６】
また、本発明に係る再生プログラム（１）は、記憶手段に保存された音楽データを再生する再生装置に、前記音楽データが前記記憶手段に保存された保存日時情報に基づいて、ある期間内に保存された音楽データを特定する機能と、前記ある期間内に保存された音楽データをグループに分けて、複数のグループを作成する機能とを実現させることを特徴としている。
【００１７】
上記再生プログラム（１）によれば、上記再生装置（１）が有する機能を、容易に他のコンピュータシステムに実現させることができる。さらに、このプログラムが記録されたコンピュータ読み取り可能な記録媒体により、より多くのコンピュータシステムに上記再生装置（１）が有する機能を実現させることができる。
【発明を実施するための最良の形態】
【００１８】
以下、本発明に係る再生装置及び再生プログラムの実施の形態を図面に基づいて説明する。図１は、実施の形態（１）に係る再生装置の要部を概略的にを示したブロック図である。図１に示したように、再生装置は、制御手段１００、記憶手段１１０、読込手段１２０、再生手段１３０、操作手段１４０、通信手段１５０、再生順序情報作成手段１６０、再生制御手段１７０および告知手段１８０を備えている。
制御手段１００は、バス２０を通じて、再生装置に含まれる各手段を制御するものであり、１つまたは複数の中央処理装置およびその周辺回路で実現されている。
【００１９】
記憶手段１１０は、少なくとも音楽データおよび再生順序情報を保存する記憶装置で構成され、実施の形態では、大きな記憶容量を有し多くの音楽データを保存できる記憶装置となっている。記憶手段１１０は、ハードディスク、光磁気ディスク等で実現されるが、補足的に半導体メモリなどを含んでもよい。
【００２０】
読込手段１２０は、ＣＤ、ＭＤまたはＤＶＤなどの記録媒体１０に格納されている音楽データを読み込む、およびアンテナ１５０Ａと通信手段１５０とを介してインターネット経由で送信される音楽データを読み込むものである。
再生手段１３０は、再生制御手段１７０から伝送されてくるディジタルの音楽データを、アナログ信号に変換して再生するための手段であり、出力にはスピーカ１３０Ａ等が用いられる。
【００２１】
操作手段１４０は、ユーザが複数の再生順序判断基準情報から一つの再生順序判断基準情報を選択することを可能にするものであり、キーボードスイッチ形式の他、タッチパネルスイッチ形式あるいは音声入力形式であってもよい。
通信手段１５０は、無線通信により、再生装置を電気通信回線に接続する手段であり、データの送受信を行うものである。これは、携帯電話やカーナビゲーションシステムなどに搭載された通常の無線通信装置で実現される。
【００２２】
再生順序情報作成手段１６０は、ユーザによって選択された再生順序判断基準情報を基に再生順序情報を作成するものであり、プログラムおよびそのプログラムが組み込まれたコンピュータで実現される。
再生制御手段１７０は、記憶手段１１０に保存された再生順序情報を基に、記憶手段１１０から対応する音楽データを逐次再生手段１３０に伝送する、また、読込手段１２０で読み込まれた音楽データを再生手段１３０に伝送するものであり、プログラムおよびそのプログラムが組み込まれたコンピュータで実現される。
【００２３】
告知手段１８０は、音楽データに含まれる曲名情報、再生順序情報、再生順序判断基準情報などを告知する手段である。これは、モニタ画面等で実現されるが、操作手段１４０と一体化したタッチパネルスイッチ形式あるいは音声出力形式であってもよい。特に、タッチパネルスイッチ形式のものでは、一連の動作で、告知内容の確認と入力操作とを行うことができるので、より操作が簡便となり、より高い安全性が保たれる。
【００２４】
図２は、実施の形態（１）に係る再生装置において使用される音楽データのデータ構造および再生順序情報の一例を概略的に示したテーブルである。
図示したように、表中にそれぞれ一行で記載された各音楽データは、それぞれの音楽データを特定するための識別データと、それぞれの音楽データを再生するときの音の情報を示す音響データとを含んで構成されている。識別データは、曲ＩＤ、曲名情報、アーティスト名情報、ジャンル情報または保存日時情報などを含んでいる。なお、音響データが、再生動作時の制御情報を含んでいてもよい。
【００２５】
再生順序情報は、これらの音楽データを再生するときの順番を示す情報であり、図示したように、例えば、表左端の列のように曲ＩＤを並べたものとして表現するとよい。しかし、以下、説明のため再生順序情報として他の識別データも併せて記載する。
通常、再生順序情報は表の第一行となる音楽データから再生を開始して最終行の方向へ一行ずつ進む順で定義するとよいが、最終行となる音楽データから逆方向に進める、三行おきに進める、またはランダムな行数ごとに進めるなど、様々な設定が可能である。
【００２６】
このような再生順序情報を基に、再生制御手段１７０は、記憶手段１１０内の、再生すべき音楽データが保存されている部分から音響データを読み出し、これを逐次再生手段１３０に伝送する。これにより、音楽データの再生が行われる。なお、これに合わせて制御手段１００が、再生すべき音楽データが保存されている部分から識別データを告知手段１８０に伝送し、告知させることが望ましい。
【００２７】
図３は、実施の形態（１）に係る再生装置に用いられる操作手段１４０および告知手段１８０の一例を概念的に示した図である。
操作手段１４０は、固定ボード１４０Ａおよびリモコン１４０Ｂにより実現されている。これらの操作手段１４０は、それぞれの再生順序判断基準情報に対応した入力手段を備えており、これを操作することで選択された再生順序判断基準情報が設定される構成となっている。
【００２８】
告知手段１８０は、モニタ画面１８０Ａにより実現されている。モニタ画面１８０Ａに表示される画面の例が、画面１〜５に示されている。これらの画面に示したように、告知手段１８０には、選択できる再生順序判断基準情報の種類、選択された再生順序判断基準情報、再生中の音楽データやその進行状況などが表示される。
【００２９】
ここでは、各再生順序判断基準情報として、〔１〕曲名、〔２〕アーティスト名、〔３〕ジャンルおよび〔４〕保存日時を例示している。実施の形態（１）に係る再生装置は、まず、画面１を表示して、画面１に示された再生順序判断基準情報から１つをユーザに選択させる。次に、画面２〜４を表示して、選択された再生順序判断基準情報ごとに、さらにそれを補足する情報を選択させる。このようにして選択された再生順序判断基準情報を基に再生順序情報を作成すると、作成された再生順序情報に従って音楽データの再生を開始し、画面５を表示して、その状況をユーザに告知する。ここでは、選択された再生順序判断基準情報として、「９９年１０月」という保存日時情報、が選択されている場合の例が示されている。
【００３０】
図４は、図３に示した実施の形態（１）に係る再生装置における制御手段１００の動作を示したフローチャートである。なお、図３に示した画面１〜５は以下においても引用する。まず、ステップＳ４００において、告知手段１８０に画面１を表示し、複数の再生順序判断基準情報の中から一つの再生順序判断基準情報をユーザに操作手段１４０を介して選択させ、ステップＳ４０１に進行する。
【００３１】
ステップＳ４０１において、選択された再生順序判断基準情報が、〔１〕曲名、〔２〕アーティスト名など名前順のものであるか否かを判断する。名前順のものであると判断すると、ステップＳ４０３に進行し、告知手段１８０に画面２を表示させる。そしてステップＳ４０６に進行し、さらに補足的な再生順序判断基準情報として、五十音の中から所望の名前を構成する先頭の文字をユーザに選択させ、ステップＳ４０９に進行する。一方、ステップＳ４０１において名前順のものでないと判断すると、ステップＳ４０２に進行する。
【００３２】
ステップＳ４０２において、選択された再生順序判断基準情報が、〔３〕ジャンルであるか否かを判断する。〔３〕ジャンルであると判断すると、ステップＳ４０４に進行し、告知手段１８０に画面３を表示させる。そしてステップＳ４０７に進行し、「ポップス」、「演歌」、「ボーカル」、「ジャズ」、「ロック」および「ソウル」の中から、さらに補足的な再生順序判断基準情報としてジャンル情報をユーザに選択させ、ステップＳ４０９に進行する。
【００３３】
一方、ステップＳ４０２において〔３〕ジャンルでないと判断すると、選択された再生順序判断基準情報が、〔４〕保存日時など、日時を指定することが望ましいものであると判断してステップＳ４０５に進行し、告知手段１８０に画面４を表示させる。そしてステップＳ４０８に進行し、さらに、補足的な再生順序判断基準情報として日時をユーザに選択させ、ステップＳ４０９に進行する。
【００３４】
ステップＳ４０９に進行すると、選択された再生順序判断基準情報を基に、再生順序情報作成手段１６０に再生順序情報を作成させる。次にステップＳ４１０に進行して告知手段１８０に画面５を表示させる。そして、ステップＳ４１１に進行し、再生制御手段１７０に、再生順序情報に基づく音楽データの再生を開始させる。なお、このような入力操作において、入力を中止するためのキャンセル入力機能や、外部装置からの割り込み入力機能等を含むことが望ましい。
【００３５】
上記実施の形態（１）に係る再生装置によれば、上述したような簡潔な操作で、多彩な選曲機能を発揮させることができる。以下、上述した再生順序判断基準情報を基に、再生順序情報作成手段１６０が再生順序情報を作成する処理について説明する。
【００３６】
図５（ａ）は、再生順序判断基準情報が、曲名情報の五十音順情報である場合に、再生順序情報作成手段１６０が作成した再生順序情報を作成したときの一例を概略的に示したテーブルである。一方、図５（ｂ）は、再生順序判断基準情報が、アーティスト名情報の五十音順情報である場合に、再生順序情報作成手段１６０が作成した再生順序情報を作成したときの一例を概略的に示したテーブルである。
【００３７】
上記の図３の画面２に示したように、再生順序判断基準情報としての曲名情報またはアーティスト名情報は、五十音順に並べられた文字の中から、その先頭文字をユーザに選択させるとよい。先頭文字を選択させるだけでは曲数が多く不便であるときは、２番目の文字、３番目の文字をさらに選択させてもよい。
【００３８】
図５に示したように、音楽データを曲名やアーティスト名の発音順に並べるため、音楽データに曲名やアーティスト名を仮名文字で表記した五十音順情報が含まれている必要がある。再生順序情報作成手段１６０は、この五十音順情報を参照して、音楽データを五十音順に並べることができる。なお、五十音順情報の代わりに、曲名やアーティスト名を外国語、例えばアルファベットで表記したアルファベット順情報を用いることもできる。
【００３９】
また、所定の曲数分の音楽データ、例えば１０曲分の音楽データで構成されるグループを作成し、作成されたグループを並べた再生順序判断基準情報を作成することも可能である。この場合、図示したように、音楽データを五十音順に並べ、各音楽データにグループ情報を加えるとよい。グループ情報は各グループを識別するものであり、グループ内の複数の音楽データは通常続けて再生される。そのため、１つのグループを１つの音楽データのように扱うことが可能となり、１つのグループのグループ情報を、１つの音楽データの曲ＩＤと同様に扱うことができる。
【００４０】
図６は、再生順序情報作成手段１６０が、図５（ａ）または（ｂ）に示した再生順序情報を作成するときの動作を示したフローチャートである。曲名情報もアーティスト名情報も、処理としてはほぼ同等なものであるので、ここでは、図５（ａ）の例のように、再生順序判断基準情報が、曲名情報の五十音順情報である場合についてのみ説明する。
【００４１】
まず、ステップＳ６０１において、有効範囲の設定を行って、再生順序判断基準情報に含まれうる音楽データの範囲を定める。再生順序判断基準情報として、上述のように所望の名前を構成する先頭の文字がユーザにより選択されている場合、例えば「カ行」の「ク」が選択されていると、有効範囲は文字「ク」に設定される。一方、上記先頭の文字が選択されていない場合、有効範囲はすべての文字として設定される。
【００４２】
次にステップＳ６０２に進行して、記憶手段１１０に保存されている音楽データに含まれる曲名情報の五十音順情報を読み込み、ステップＳ６０３に進行して、その五十音順情報は設定された有効範囲内にあるか否かを判断する。有効範囲内にあると判断すると、ステップＳ６０４に進行して、記憶手段１１０にその音楽データに含まれる曲ＩＤを五十音順に保存して、ステップＳ６０５に進行する。一方、ステップＳ６０３において、その五十音順情報は有効範囲内にないと判断すると、直接ステップＳ６０５に進行する。
【００４３】
ステップＳ６０５では、検索すべき音楽データがあるか否かを判断する。検索すべき音楽データがあると判断すると、ステップＳ６０２に戻って、次の音楽データに含まれる曲名情報の五十音順情報を読み込み、上記処理を繰り返す。一方、検索すべき音楽データがないと判断すると、ステップＳ６０６に進行し、五十音順に保存された記憶手段１１０内のデータを基に再生順序情報を作成し、記憶手段１１０に保存する。
所定の曲数分の前記音楽データで構成されるグループを作成する場合には、ステップＳ６０４において、記憶手段１１０にその音楽データに含まれる曲ＩＤを保存するときに、所定の曲数ごとに異なるグループ情報を併せて保存するとよい。
【００４４】
図７は、再生順序判断基準情報が、ジャンル情報である場合に、再生順序情報作成手段１６０が作成した再生順序情報を作成したときの一例を概略的に示したテーブルである。上記の図３の画面３に示したように、再生順序判断基準情報としてのジャンル情報は、「ポップス」、「演歌」、「ボーカル」、「ジャズ」、「ロック」および「ソウル」などからユーザに選択させるとよい。
【００４５】
図７に示したように、ジャンルごとに並べるため、音楽データに「ポップス」、「ボーカル」などのジャンル情報が含まれている必要がある。再生順序情報作成手段１６０は、これらの音楽データに含まれるジャンル情報を参照して、音楽データをジャンルごとに並べることができる。
【００４６】
図８は、再生順序情報作成手段１６０が、図７に示した再生順序情報を作成するときの動作を示したフローチャートである。
まず、ステップＳ８０１において、有効範囲の設定を行って、再生順序判断基準情報に含まれうる音楽データの範囲を定める。再生順序判断基準情報として、ジャンル情報が、ユーザにより選択されている場合、例えば「ポップス」、「演歌」、「ボーカル」、「ジャズ」、「ロック」および「ソウル」の中から、「ポップス」および「ボーカル」が選択されていると、有効範囲は「ポップス」および「ボーカル」に設定される。
【００４７】
次にステップＳ８０２に進行して、記憶手段１１０に保存されている音楽データに含まれる曲名情報のジャンル情報を読み込み、ステップＳ８０３に進行して、そのジャンル情報は設定された有効範囲内にあるか否かを判断する。有効範囲内にあると判断すると、ステップＳ８０４に進行して、記憶手段１１０にその音楽データに含まれる曲ＩＤをジャンルごとに保存して、ステップＳ８０５に進行する。一方、ステップＳ８０３において、そのジャンル情報は有効範囲内にないと判断すると、直接ステップＳ８０５に進行する。
【００４８】
ステップＳ８０５では、検索すべき音楽データがあるか否かを判断する。検索すべき音楽データがあると判断すると、ステップＳ８０２に戻って、次の音楽データに含まれる曲名情報のジャンル情報を読み込み、上記処理を繰り返す。一方、検索すべき音楽データがないと判断すると、ステップＳ８０６に進行し、ジャンルごとに保存された記憶手段１１０内のデータを基に、再生順序情報を作成し、記憶手段１１０に保存する。
所定の曲数分の前記音楽データで構成されるグループを作成する場合には、ステップＳ８０４において、記憶手段１１０にその音楽データに含まれる曲ＩＤを保存するときに、所定の曲数ごとに異なるグループ情報を併せて保存するとよい。
【００４９】
図９は、再生順序判断基準情報が、保存日時情報情報である場合に、再生順序情報作成手段１６０が作成した再生順序情報を作成したときの一例を概略的に示したテーブルである。上記の図３の画面４に示したように、再生順序判断基準情報としての保存日時情報情報は、年や月を示したテーブルの中からユーザに選択させるとよい。
【００５０】
図９に示したように、保存日時情報順に並べるため、音楽データに保存日時情報が含まれている必要がある。再生順序情報作成手段１６０は、この保存日時情報情報を参照して、音楽データを保存日時情報順に並べることができる。また、並べるための検索が容易となるように、詳細な日時を示した保存日時情報が、「０１年０１月」のように簡略化されていることが望ましい。
【００５１】
図１０は、再生順序情報作成手段１６０が、図９に示した再生順序情報を作成するときの動作を示したフローチャートである。
まず、ステップＳ１００１において、有効範囲の設定を行って、再生順序判断基準情報に含まれうる音楽データの範囲を定める。再生順序判断基準情報として、保存日時情報の日時に関する情報が、ユーザにより選択されている場合、例えば「０１年０１月」が選択されていると、有効範囲は２００１年１月１日から２００１年１月３１までの１ヶ月間というように設定される。
【００５２】
次にステップＳ１００２に進行して、記憶手段１１０に保存されている音楽データに含まれる曲名情報の保存日時情報を読み込み、ステップＳ１００３に進行して、その保存日時情報は設定された有効範囲内にあるか否かを判断する。有効範囲内にあると判断すると、ステップＳ１００４に進行して、記憶手段１１０にその音楽データに含まれる曲ＩＤを保存日時順に保存して、ステップＳ１００５に進行する。一方、ステップＳ１００３において、その保存日時情報は有効範囲内にないと判断すると、直接ステップＳ１００５に進行する。
【００５３】
ステップＳ１００５では、検索すべき音楽データがあるか否かを判断する。検索すべき音楽データがあると判断すると、ステップＳ１００２に戻って、次の音楽データに含まれる曲名情報の保存日時情報を読み込み、上記処理を繰り返す。一方、検索すべき音楽データがないと判断すると、ステップＳ１００６に進行し、保存日時順に保存された記憶手段１１０内のデータを基に、再生順序情報を作成し、記憶手段１１０に保存する。
【００５４】
所定の曲数分の前記音楽データで構成されるグループを作成する場合には、ステップＳ１００４において、記憶手段１１０にその音楽データに含まれる曲ＩＤを保存日時に保存するときに、所定の曲数ごとに異なるグループ情報を併せて保存するとよい。なお、ここでは月ごとに日時を指定させる例を示しているが、日や週、季節、年などを指定させることも可能である。
【００５５】
ところで、各音楽データの識別データとして重要度を設定しておくと、ユーザがあまり聴きたくない曲を自動的にスキップさせることができるので便利である。そのためには、再生順序情報作成手段が再生順序情報を作成するときに、前記音楽データのそれぞれに関する重要度を参照し、該重要度を再生順序情報の作成に反映させるようにするとよい。この機能を、上記の各選曲機能と併用するとさらにユーザの満足度を高めることができる。
【００５６】
例えば、各音楽データに８段階の重要度を設定しておき、曲名情報を基に再生順序情報を作成しているときに、あるいは従来のランダム再生機能による選曲を行うときに、重要度が所定値以上、例えば重要度６以上の音楽データだけを選択的に選曲する、あるいは重要度に見合った確率、例えば重要度６では６０％の確率で選曲するなどの設定を実行させる。なお、重要度は、曲の再生中に、ユーザの簡単な操作により変更されることが望ましい。例えば、再生直前または再生中の曲がスキップされたときには、その曲に対応する重要度の値を下げ、再生直後または再生中に曲がリピート操作されたときには、その曲に対応する重要度の値を上げるようにする。あるいは、ユーザが操作手段を介して直接操作し、制御手段が、操作手段からの操作信号を受けて、再生中の曲に対応する重要度の値を変更するようにしてもよい。
上述したように、実施の形態（１）に係る再生装置によれば、車載用として十分に簡潔な操作で選曲・再生を行うことができ、かつ、保存された多くの音楽データを有効に活用することができる。
【図面の簡単な説明】
【００５７】
【図１】本発明の実施の形態（１）に係る再生装置の要部を概略的に示したブロック図である。
【図２】実施の形態（１）に係る再生装置において使用される音楽データのデータ構造および再生順序情報の一例を概略的に示したテーブルである。
【図３】実施の形態（１）に係る再生装置に用いられる操作手段および告知手段の一例を概念的に示した図である。
【図４】図３に示した再生装置における制御手段の動作を示したフローチャートである。
【図５】再生順序判断基準情報が、（ａ）曲名情報、（ｂ）アーティスト名情報の五十音順情報である場合に、再生順序情報作成手段が作成した再生順序情報を作成したときの一例を概略的に示したテーブルである。
【図６】再生順序情報作成手段が、図５（ａ）または（ｂ）に示した再生順序情報を作成するときの動作を示したフローチャートである。
【図７】再生順序判断基準情報が、ジャンル情報である場合に、再生順序情報作成手段が作成した再生順序情報を作成したときの一例を概略的に示したテーブルである。
【図８】再生順序情報作成手段が、図７に示した再生順序情報を作成するときの動作を示したフローチャートである。
【図９】再生順序判断基準情報が、保存日時情報情報である場合に、再生順序情報作成手段が作成した再生順序情報を作成したときの一例を概略的に示したテーブルである。
【図１０】再生順序情報作成手段が、図９に示した再生順序情報を作成するときの動作を示したフローチャートである。
【符号の説明】
【００５８】
１００  制御手段
１１０  記憶手段
１２０  読込手段
１３０  再生手段
１４０  操作手段
１５０  通信手段
１６０  再生順序情報作成手段
１７０  再生制御手段
１８０  告知手段
【図１】
2006324005.tif 000003
【図２】
2006324005.tif 000004
【図３】
2006324005.tif 000005
【図４】
2006324005.tif 000006
【図５】
2006324005.tif 000007
【図６】
2006324005.tif 000008
【図７】
2006324005.tif 000009
【図８】
2006324005.tif 000010
【図９】
2006324005.tif 000011
【図１０】
2006324005.tif 000012